(57)【特許請求の範囲】
【請求項１】
医療従事者同士の医療行為の支援を管理する医療支援管理システムであって、
複数の各医療従事者にそれぞれ利用される複数の端末に対して通信可能に設けられて、前記複数の前記医療従事者による医療行為の支援を管理する医療支援管理装置を備え、
前記医療支援管理装置は、
前記医療従事者のうち、他の医療従事者への医療行為の支援を委嘱する委嘱者の端末から、少なくとも、当該医療行為の支援の内容と期日とを示すデータを受信する委嘱データ受信部と、
前記他の医療従事者のうち、少なくとも、前記委嘱データ受信部が受信したデータによって示される前記医療行為の支援の内容に対応し得る専門性と、当該データによって示される前記医療行為の支援の期日に対応し得るスケジュールとを有する医療従事者を、前記医療行為の支援を受託し得る受託者の候補として選択し、当該受託者の候補と成り得る医療従事者が存在しない場合、所定の条件が整った後に、当該受託者と成り得る医療従事者を選択し直す受託者候補選択部と、
前記受託者候補選択部が選択した受託者の候補の端末へ、前記医療行為の支援を受託するか否かを問い合わせる旨のデータを送信する問合データ送信部と、
前記問合データ送信部がデータを送信した前記受託者の候補の端末から、前記医療行為の支援を受託するか否かの問い合わせに対する回答を示すデータを受信する回答データ受信部と、
前記医療行為の支援を受託するとの回答を示すデータを前記回答データ受信部が受信した場合に、当該回答を行った医療従事者を、前記医療行為の支援を受託する受託者として決定する受託者決定部と、
前記受託者決定部が受託者を決定した場合に、その旨を通知するデータを、少なくとも、前記委嘱者の端末へ送信する通知データ送信部と
を有し、
前記委嘱データ受信部は、前記委嘱者の端末から、前記医療行為の支援を所望する指名の医療従事者を更に示すデータを受信可能であり、
前記受託者候補選択部は、前記他の医療従事者のうち、前記委嘱データ受信部が受信したデータによって示される指名の医療従事者が、少なくとも、当該データによって示される前記医療行為の支援の内容に対応し得る専門性と、当該データによって示される前記医療行為の支援の期日に対応し得るスケジュールとを有している場合、当該指名の医療従事者を、前記医療行為の支援を受託し得る受託者の候補として優先的に選択し、当該指名の医療従事者が、前記医療行為の支援の内容に対応し得る専門性と、前記医療行為の支援の期日に対応し得るスケジュールとの少なくとも一方を有していない場合、当該指名の医療従事者から推薦されている別の医療従事者を優先的に選択し直す
ことを特徴とする医療支援管理システム。
【請求項２】
前記受託者候補選択部は、前記他の医療従事者のうち、前記委嘱データ受信部が受信したデータによって示される前記医療行為の支援の期日までに、当該データによって示される前記医療行為の支援の内容に対応し得る環境を確保し得るスケジュールを更に有する医療従事者を、前記医療行為の支援を受託し得る受託者の候補として選択する
請求項１に記載の医療支援管理システム。
【請求項３】
前記受託者候補選択部は、前記他の医療従事者のうち、前記委嘱データ受信部が受信したデータによって示される前記医療行為の支援の期日に、当該データによって示される前記医療行為の支援の内容に対応し得る環境を確保し得るスケジュールを更に有する医療従事者を、前記医療行為の支援を受託し得る受託者の候補として選択する
請求項１又は２に記載の医療支援管理システム。
【請求項４】
前記受託者候補選択部は、前記受託者決定部が受託者を決定する前に、前記医療行為の支援の変更後の内容と期日とを示すデータを前記委嘱データ受信部が受信した場合、前記受託者と成り得る別の医療従事者を選択し直し、前記受託者決定部が受託者を決定した後に、前記医療行為の支援の変更後の内容と期日とを示すデータを前記委嘱データ受信部が受信した場合に、前記受託者として決定されている医療従事者が、少なくとも、前記委嘱データ受信部が受信したデータによって示される前記医療行為の支援の変更後の内容に対応し得る専門性と、当該データによって示される前記医療行為の支援の変更後の期日に対応し得るスケジュールとを有している場合、当該医療従事者を、前記医療行為の支援を受託し得る受託者の候補として改めて選択する
請求項１から３のいずれか一項に記載の医療支援管理システム。
【請求項５】
前記受託者候補選択部は、前記受託者として決定されている医療従事者のスケジュールに変更が生じた場合に、当該医療従事者の変更後のスケジュールが前記医療行為の支援の期日に対応し得る場合、当該医療従事者を、前記医療行為の支援を受託し得る受託者の候補として改めて選択し、当該医療従事者の変更後のスケジュールが前記医療行為の支援の期日に対応し得ない場合には、当該医療従事者以外の別の医療従事者を選択し直す
請求項１から４のいずれか一項に記載の医療支援管理システム。
【請求項６】
医療従事者同士の医療行為の支援を管理する医療支援管理方法であって、
複数の各医療従事者にそれぞれ利用される複数の端末に対して通信可能に設けられて、前記医療従事者同士の医療行為の支援を管理する医療支援管理装置が、前記医療従事者のうち、他の医療従事者への医療行為の支援を委嘱する委嘱者の端末から、少なくとも、当該医療行為の支援の内容と期日とを示すデータを受信する委嘱データ受信段階と、
前記医療支援管理装置が、前記他の医療従事者のうち、少なくとも、前記委嘱データ受信段階において受信されたデータによって示される前記医療行為の支援の内容に対応し得る専門性と、当該データによって示される前記医療行為の支援の期日に対応し得るスケジュールとを有する医療従事者を、前記医療行為の支援を受託し得る受託者の候補として選択し、当該受託者の候補と成り得る医療従事者が存在しない場合、所定の条件が整った後に、当該受託者と成り得る医療従事者を選択し直す受託者候補選択段階と、
前記医療支援管理装置が、前記受託者候補選択段階において選択された受託者の候補の端末へ、前記医療行為の支援を受託するか否かを問い合わせる旨のデータを送信する問合データ送信段階と、
前記医療支援管理装置が、前記問合データ送信段階においてデータが送信された前記受託者の候補の端末から、前記医療行為の支援を受託するか否かの問い合わせに対する回答を示すデータを受信する回答データ受信段階と、
前記医療支援管理装置が、前記医療行為の支援を受託するとの回答を示すデータを前記回答データ受信段階において受信された場合に、当該回答を行った医療従事者を、前記医療行為の支援を受託する受託者として決定する受託者決定段階と、
前記医療支援管理装置が、前記受託者決定段階において受託者が決定された場合に、その旨を通知するデータを、少なくとも、前記委嘱者の端末へ送信する通知データ送信段階と
を含み、
前記委嘱データ受信段階においては、前記委嘱者の端末から、前記医療行為の支援を所望する指名の医療従事者を更に示すデータを受信可能であり、
前記受託者候補選択段階においては、前記他の医療従事者のうち、前記委嘱データ受信段階において受信されたデータによって示される指名の医療従事者が、少なくとも、当該データによって示される前記医療行為の支援の内容に対応し得る専門性と、当該データによって示される前記医療行為の支援の期日に対応し得るスケジュールとを有している場合、当該指名の医療従事者を、前記医療行為の支援を受託し得る受託者の候補として優先的に選択し、当該指名の医療従事者が、前記医療行為の支援の内容に対応し得る専門性と、前記医療行為の支援の期日に対応し得るスケジュールとの少なくとも一方を有していない場合、当該指名の医療従事者から推薦されている別の医療従事者を優先的に選択し直す
ことを特徴とする医療支援管理方法。
【請求項７】
複数の各医療従事者にそれぞれ利用される複数の端末に対して通信可能に設けられて、前記医療従事者同士の医療行為の支援を管理する医療支援管理装置であって、
前記医療従事者のうち、他の医療従事者への医療行為の支援を委嘱する委嘱者の端末から、少なくとも、当該医療行為の支援の内容と期日とを示すデータを受信する委嘱データ受信部と、
前記他の医療従事者のうち、少なくとも、前記委嘱データ受信部が受信したデータによって示される前記医療行為の支援の内容に対応し得る専門性と、当該データによって示される前記医療行為の支援の期日に対応し得るスケジュールとを有する医療従事者を、前記医療行為の支援を受託し得る受託者の候補として選択し、当該受託者の候補と成り得る医療従事者が存在しない場合、所定の条件が整った後に、当該受託者と成り得る医療従事者を選択し直す受託者候補選択部と、
前記受託者候補選択部が選択した受託者の候補の端末へ、前記医療行為の支援を受託するか否かを問い合わせる旨のデータを送信する問合データ送信部と、
前記問合データ送信部がデータを送信した前記受託者の候補の端末から、前記医療行為の支援を受託するか否かの問い合わせに対する回答を示すデータを受信する回答データ受信部と、
前記医療行為の支援を受託するとの回答を示すデータを前記回答データ受信部が受信した場合に、当該回答を行った医療従事者を、前記医療行為の支援を受託する受託者として決定する受託者決定部と、
前記受託者決定部が受託者を決定した場合に、その旨を通知するデータを、少なくとも、前記委嘱者の端末へ送信する通知データ送信部と
を備え、
前記委嘱データ受信部は、前記委嘱者の端末から、前記医療行為の支援を所望する指名の医療従事者を更に示すデータを受信可能であり、
前記受託者候補選択部は、前記他の医療従事者のうち、前記委嘱データ受信部が受信したデータによって示される指名の医療従事者が、少なくとも、当該データによって示される前記医療行為の支援の内容に対応し得る専門性と、当該データによって示される前記医療行為の支援の期日に対応し得るスケジュールとを有している場合、当該指名の医療従事者を、前記医療行為の支援を受託し得る受託者の候補として優先的に選択し、当該指名の医療従事者が、前記医療行為の支援の内容に対応し得る専門性と、前記医療行為の支援の期日に対応し得るスケジュールとの少なくとも一方を有していない場合、当該指名の医療従事者から推薦されている別の医療従事者を優先的に選択し直す
ことを特徴とする医療支援管理装置。
【請求項８】
複数の各医療従事者にそれぞれ利用される複数の端末に対して通信可能に設けられて、前記医療従事者同士の医療行為の支援を管理する医療支援管理装置として、コンピュータを機能させるプログラムであって、
前記コンピュータを、
前記医療従事者のうち、他の医療従事者への医療行為の支援を委嘱する委嘱者の端末から、少なくとも、当該医療行為の支援の内容と期日とを示すデータを受信する委嘱データ受信部、
前記他の医療従事者のうち、少なくとも、前記委嘱データ受信部が受信したデータによって示される前記医療行為の支援の内容に対応し得る専門性と、当該データによって示される前記医療行為の支援の期日に対応し得るスケジュールとを有する医療従事者を、前記医療行為の支援を受託し得る受託者の候補として選択し、当該受託者の候補と成り得る医療従事者が存在しない場合、所定の条件が整った後に、当該受託者と成り得る医療従事者を選択し直す受託者候補選択部、
前記受託者候補選択部が選択した受託者の候補の端末へ、前記医療行為の支援を受託するか否かを問い合わせる旨のデータを送信する問合データ送信部、
前記問合データ送信部がデータを送信した前記受託者の候補の端末から、前記医療行為の支援を受託するか否かの問い合わせに対する回答を示すデータを受信する回答データ受信部、
前記医療行為の支援を受託するとの回答を示すデータを前記回答データ受信部が受信した場合に、当該回答を行った医療従事者を、前記医療行為の支援を受託する受託者として決定する受託者決定部、
前記受託者決定部が受託者を決定した場合に、その旨を通知するデータを、少なくとも、前記委嘱者の端末へ送信する通知データ送信部
として機能させ、
前記委嘱データ受信部は、前記委嘱者の端末から、前記医療行為の支援を所望する指名の医療従事者を更に示すデータを受信可能であり、
前記受託者候補選択部は、前記他の医療従事者のうち、前記委嘱データ受信部が受信したデータによって示される指名の医療従事者が、少なくとも、当該データによって示される前記医療行為の支援の内容に対応し得る専門性と、当該データによって示される前記医療行為の支援の期日に対応し得るスケジュールとを有している場合、当該指名の医療従事者を、前記医療行為の支援を受託し得る受託者の候補として優先的に選択し、当該指名の医療従事者が、前記医療行為の支援の内容に対応し得る専門性と、前記医療行為の支援の期日に対応し得るスケジュールとの少なくとも一方を有していない場合、当該指名の医療従事者から推薦されている別の医療従事者を優先的に選択し直す
ことを特徴とするプログラム。
【請求項９】
複数の各医療従事者にそれぞれ利用される複数の端末に対して通信可能に設けられて、前記医療従事者同士の医療行為の支援を管理する医療支援管理装置として、コンピュータを機能させるプログラムを記録した記録媒体であって、
前記コンピュータを、
前記医療従事者のうち、他の医療従事者への医療行為の支援を委嘱する委嘱者の端末から、少なくとも、当該医療行為の支援の内容と期日とを示すデータを受信する委嘱データ受信部、
前記他の医療従事者のうち、少なくとも、前記委嘱データ受信部が受信したデータによって示される前記医療行為の支援の内容に対応し得る専門性と、当該データによって示される前記医療行為の支援の期日に対応し得るスケジュールとを有する医療従事者を、前記医療行為の支援を受託し得る受託者の候補として選択し、当該受託者の候補と成り得る医療従事者が存在しない場合、所定の条件が整った後に、当該受託者と成り得る医療従事者を選択し直す受託者候補選択部、
前記受託者候補選択部が選択した受託者の候補の端末へ、前記医療行為の支援を受託するか否かを問い合わせる旨のデータを送信する問合データ送信部、
前記問合データ送信部がデータを送信した前記受託者の候補の端末から、前記医療行為の支援を受託するか否かの問い合わせに対する回答を示すデータを受信する回答データ受信部、
前記医療行為の支援を受託するとの回答を示すデータを前記回答データ受信部が受信した場合に、当該回答を行った医療従事者を、前記医療行為の支援を受託する受託者として決定する受託者決定部、
前記受託者決定部が受託者を決定した場合に、その旨を通知するデータを、少なくとも、前記委嘱者の端末へ送信する通知データ送信部
として機能させ、
前記委嘱データ受信部は、前記委嘱者の端末から、前記医療行為の支援を所望する指名の医療従事者を更に示すデータを受信可能であり、
前記受託者候補選択部は、前記他の医療従事者のうち、前記委嘱データ受信部が受信したデータによって示される指名の医療従事者が、少なくとも、当該データによって示される前記医療行為の支援の内容に対応し得る専門性と、当該データによって示される前記医療行為の支援の期日に対応し得るスケジュールとを有している場合、当該指名の医療従事者を、前記医療行為の支援を受託し得る受託者の候補として優先的に選択し、当該指名の医療従事者が、前記医療行為の支援の内容に対応し得る専門性と、前記医療行為の支援の期日に対応し得るスケジュールとの少なくとも一方を有していない場合、当該指名の医療従事者から推薦されている別の医療従事者を優先的に選択し直す
ことを特徴とするプログラムを記録した記録媒体。
【発明の詳細な説明】
【技術分野】
【０００１】
本発明は、医療支援管理システム、医療支援管理方法、医療支援管理装置、プログラム及び記録媒体に関する。特に、本発明は、医療従事者同士の医療行為の支援を管理する医療支援管理システム、医療支援管理方法、複数の各医療従事者にそれぞれ利用される複数の端末に対して通信可能に設けられて、当該医療従事者同士の医療行為の支援を管理する医療支援管理装置、当該医療支援管理装置としてコンピュータを機能させるプログラム、並びに当該プログラムを記録した記録媒体に関する。
【背景技術】
【０００２】
遠隔医療は、大別すると、専門医師が他の医師の診療を支援するＤｏｃｔｏｒ  ｔｏ  Ｄｏｃｔｏｒ（以下、ＤｔｏＤと称する。）と、医師が遠隔地の患者を診療するＤｏｃｔｏｒ  ｔｏ  Ｐａｔｉｅｎｔ（ＤｔｏＰ）に分けられる。ＤｔｏＤの代表的な例は、遠隔放射線画像診断や遠隔放射線医療支援である。
【０００３】
遠隔放射線画像診断や遠隔放射線医療支援等のＤｔｏＤにおいては、支援を委嘱する医師の側に患者が在り、その患者の画像データ等を遠方の専門医に送信し診断を委嘱する。このように、ＤｔｏＤの遠隔医療は、専門医の不足を補いながら診断の質的向上を目的とするシステムである。
【０００４】
遠隔医療に関わる診療については、関係する各々の学会がガイドライン等を発行し、安全、且つ、有効にこれを推進する努力を続けている（例えば、非特許文献１、２参照。）。
【先行技術文献】
【非特許文献】
【０００５】
【非特許文献１】水沼  仁孝、外１６名、“遠隔画像診断に関するガイドライン”、［ｏｎｌｉｎｅ］、平成２２年４月６日、日本医学放射線学会、インターネット<URL:http://www.radiology.jp/uploads/photos/700.pdf>
【非特許文献２】土橋  康成、“日本テレパソロジー研究会テレパソロジー運用ガイドライン”、［ｏｎｌｉｎｅ］、平成１７年８月２７日、日本テレパソロジー研究会、インターネット<URL:http://telepathology.iwate-med.jp/telepathology_guide2010.pdf>
【発明の概要】
【発明が解決しようとする課題】
【０００６】
ところで、遠隔医療を安全、且つ、有効に推進するためには、支援を受託する側の医師が、委嘱された診断や治療計画等を行うことができる十分な時間を確保することが重要となる。しかしながら、支援を受託する側の医師は、委嘱された診断や治療計画等のスケジュールよりも、自身が勤務している病院の患者に対するスケジュールが優先されることが多い。また、医師は、複数の病院に勤務していたり、学会に出席したりと、スケジュールがダイナミックに変化する場合が多い。
【０００７】
即ち、支援を受託する側の医師は、そのような多忙なスケジュールの合間を縫って、十分に時間を確保し得る支援を選択して受託しなければならないことになる。しかしながら、そのようなスケジュールを考慮した上での支援の受託可否の決定は、支援を受託する側の医師に対して大きな負担となる。
【０００８】
一方、支援を委嘱する側の医師は、支援のための十分な時間を確保し得る医師に対して支援を委嘱しなければならないことになる。しかしながら、そのような委嘱先の選択は、支援を委嘱する側の医師に対して大きな負担となる。
【課題を解決するための手段】
【０００９】
上記課題を解決するために、本発明の第１の形態によると、医療従事者同士の医療行為の支援を管理する医療支援管理システムであって、複数の各医療従事者にそれぞれ利用される複数の端末に対して通信可能に設けられて、複数の医療従事者による医療行為の支援を管理する医療支援管理装置を備え、医療支援管理装置は、医療従事者のうち、他の医療従事者への医療行為の支援を委嘱する委嘱者の端末から、少なくとも、当該医療行為の支援の内容と期日とを示すデータを受信する委嘱データ受信部と、他の医療従事者のうち、少なくとも、委嘱データ受信部が受信したデータによって示される医療行為の支援の内容に対応し得る専門性と、当該データによって示される医療行為の支援の期日に対応し得るスケジュールとを有する医療従事者を、医療行為の支援を受託し得る受託者の候補として選択し、当該受託者の候補と成り得る医療従事者が存在しない場合、所定の条件が整った後に、当該受託者と成り得る医療従事者を選択し直す受託者候補選択部と、受託者候補選択部が選択した受託者の候補の端末へ、医療行為の支援を受託するか否かを問い合わせる旨のデータを送信する問合データ送信部と、問合データ送信部がデータを送信した受託者の候補の端末から、医療行為の支援を受託するか否かの問い合わせに対する回答を示すデータを受信する回答データ受信部と、医療行為の支援を受託するとの回答を示すデータを回答データ受信部が受信した場合に、当該回答を行った医療従事者を、医療行為の支援を受託する受託者として決定する受託者決定部と、受託者決定部が受託者を決定した場合に、その旨を通知するデータを、少なくとも、委嘱者の端末へ送信する通知データ送信部とを有し、委嘱データ受信部は、委嘱者の端末から、医療行為の支援を所望する指名の医療従事者を更に示すデータを受信可能であり、受託者候補選択部は、他の医療従事者のうち、委嘱データ受信部が受信したデータによって示される指名の医療従事者が、少なくとも、当該データによって示される医療行為の支援の内容に対応し得る専門性と、当該データによって示される医療行為の支援の期日に対応し得るスケジュールとを有している場合、当該指名の医療従事者を、医療行為の支援を受託し得る受託者の候補として優先的に選択し、当該指名の医療従事者が、医療行為の支援の内容に対応し得る専門性と、医療行為の支援の期日に対応し得るスケジュールとの少なくとも一方を有していない場合、当該指名の医療従事者から推薦されている別の医療従事者を優先的に選択し直す。
【００１０】
受託者候補選択部は、他の医療従事者のうち、委嘱データ受信部が受信したデータによって示される医療行為の支援の期日までに、当該データによって示される医療行為の支援の内容に対応し得る環境を確保し得るスケジュールを更に有する医療従事者を、医療行為の支援を受託し得る受託者の候補として選択してもよい。
【００１１】
受託者候補選択部は、他の医療従事者のうち、委嘱データ受信部が受信したデータによって示される医療行為の支援の期日に、当該データによって示される医療行為の支援の内容に対応し得る環境を確保し得るスケジュールを更に有する医療従事者を、医療行為の支援を受託し得る受託者の候補として選択してもよい。
【００１４】
受託者候補選択部は、受託者決定部が受託者を決定する前に、医療行為の支援の変更後の内容と期日とを示すデータを委嘱データ受信部が受信した場合、受託者と成り得る別の医療従事者を選択し直し、受託者決定部が受託者を決定した後に、医療行為の支援の変更後の内容と期日とを示すデータを委嘱データ受信部が受信した場合に、受託者として決定されている医療従事者が、少なくとも、委嘱データ受信部が受信したデータによって示される医療行為の支援の変更後の内容に対応し得る専門性と、当該データによって示される医療行為の支援の変更後の期日に対応し得るスケジュールとを有している場合、当該医療従事者を、医療行為の支援を受託し得る受託者の候補として改めて選択してもよい。
【００１５】
受託者候補選択部は、受託者として決定されている医療従事者のスケジュールに変更が生じた場合に、当該医療従事者の変更後のスケジュールが医療行為の支援の期日に対応し得る場合、当該医療従事者を、医療行為の支援を受託し得る受託者の候補として改めて選択し、当該医療従事者の変更後のスケジュールが医療行為の支援の期日に対応し得ない場合には、当該医療従事者以外の別の医療従事者を選択し直してもよい。
【００１６】
本発明の第２の形態によると、医療従事者同士の医療行為の支援を管理する医療支援管理方法であって、複数の各医療従事者にそれぞれ利用される複数の端末に対して通信可能に設けられて、医療従事者同士の医療行為の支援を管理する医療支援管理装置が、医療従事者のうち、他の医療従事者への医療行為の支援を委嘱する委嘱者の端末から、少なくとも、当該医療行為の支援の内容と期日とを示すデータを受信する委嘱データ受信段階と、医療支援管理装置が、他の医療従事者のうち、少なくとも、委嘱データ受信段階において受信されたデータによって示される医療行為の支援の内容に対応し得る専門性と、当該データによって示される医療行為の支援の期日に対応し得るスケジュールとを有する医療従事者を、医療行為の支援を受託し得る受託者の候補として選択し、当該受託者の候補と成り得る医療従事者が存在しない場合、所定の条件が整った後に、当該受託者と成り得る医療従事者を選択し直す受託者候補選択段階と、医療支援管理装置が、受託者候補選択段階において選択された受託者の候補の端末へ、医療行為の支援を受託するか否かを問い合わせる旨のデータを送信する問合データ送信段階と、医療支援管理装置が、問合データ送信段階においてデータが送信された受託者の候補の端末から、医療行為の支援を受託するか否かの問い合わせに対する回答を示すデータを受信する回答データ受信段階と、医療支援管理装置が、医療行為の支援を受託するとの回答を示すデータを回答データ受信段階において受信された場合に、当該回答を行った医療従事者を、医療行為の支援を受託する受託者として決定する受託者決定段階と、医療支援管理装置が、受託者決定段階において受託者が決定された場合に、その旨を通知するデータを、少なくとも、委嘱者の端末へ送信する通知データ送信段階とを含み、委嘱データ受信段階においては、委嘱者の端末から、医療行為の支援を所望する指名の医療従事者を更に示すデータを受信可能であり、受託者候補選択段階においては、他の医療従事者のうち、委嘱データ受信段階において受信されたデータによって示される指名の医療従事者が、少なくとも、当該データによって示される医療行為の支援の内容に対応し得る専門性と、当該データによって示される医療行為の支援の期日に対応し得るスケジュールとを有している場合、当該指名の医療従事者を、医療行為の支援を受託し得る受託者の候補として優先的に選択し、当該指名の医療従事者が、医療行為の支援の内容に対応し得る専門性と、医療行為の支援の期日に対応し得るスケジュールとの少なくとも一方を有していない場合、当該指名の医療従事者から推薦されている別の医療従事者を優先的に選択し直す。
【００１７】
本発明の第３の形態によると、複数の各医療従事者にそれぞれ利用される複数の端末に対して通信可能に設けられて、医療従事者同士の医療行為の支援を管理する医療支援管理装置であって、医療従事者のうち、他の医療従事者への医療行為の支援を委嘱する委嘱者の端末から、少なくとも、当該医療行為の支援の内容と期日とを示すデータを受信する委嘱データ受信部と、他の医療従事者のうち、少なくとも、委嘱データ受信部が受信したデータによって示される医療行為の支援の内容に対応し得る専門性と、当該データによって示される医療行為の支援の期日に対応し得るスケジュールとを有する医療従事者を、医療行為の支援を受託し得る受託者の候補として選択し、当該受託者の候補と成り得る医療従事者が存在しない場合、所定の条件が整った後に、当該受託者と成り得る医療従事者を選択し直す受託者候補選択部と、受託者候補選択部が選択した受託者の候補の端末へ、医療行為の支援を受託するか否かを問い合わせる旨のデータを送信する問合データ送信部と、問合データ送信部がデータを送信した受託者の候補の端末から、医療行為の支援を受託するか否かの問い合わせに対する回答を示すデータを受信する回答データ受信部と、医療行為の支援を受託するとの回答を示すデータを回答データ受信部が受信した場合に、当該回答を行った医療従事者を、医療行為の支援を受託する受託者として決定する受託者決定部と、受託者決定部が受託者を決定した場合に、その旨を通知するデータを、少なくとも、委嘱者の端末へ送信する通知データ送信部とを備え、委嘱データ受信部は、委嘱者の端末から、医療行為の支援を所望する指名の医療従事者を更に示すデータを受信可能であり、受託者候補選択部は、他の医療従事者のうち、委嘱データ受信部が受信したデータによって示される指名の医療従事者が、少なくとも、当該データによって示される医療行為の支援の内容に対応し得る専門性と、当該データによって示される医療行為の支援の期日に対応し得るスケジュールとを有している場合、当該指名の医療従事者を、医療行為の支援を受託し得る受託者の候補として優先的に選択し、当該指名の医療従事者が、医療行為の支援の内容に対応し得る専門性と、医療行為の支援の期日に対応し得るスケジュールとの少なくとも一方を有していない場合、当該指名の医療従事者から推薦されている別の医療従事者を優先的に選択し直す。
【００１８】
本発明の第４の形態によると、複数の各医療従事者にそれぞれ利用される複数の端末に対して通信可能に設けられて、医療従事者同士の医療行為の支援を管理する医療支援管理装置として、コンピュータを機能させるプログラムであって、コンピュータを、医療従事者のうち、他の医療従事者への医療行為の支援を委嘱する委嘱者の端末から、少なくとも、当該医療行為の支援の内容と期日とを示すデータを受信する委嘱データ受信部、他の医療従事者のうち、少なくとも、委嘱データ受信部が受信したデータによって示される医療行為の支援の内容に対応し得る専門性と、当該データによって示される医療行為の支援の期日に対応し得るスケジュールとを有する医療従事者を、医療行為の支援を受託し得る受託者の候補として選択し、当該受託者の候補と成り得る医療従事者が存在しない場合、所定の条件が整った後に、当該受託者と成り得る医療従事者を選択し直す受託者候補選択部、受託者候補選択部が選択した受託者の候補の端末へ、医療行為の支援を受託するか否かを問い合わせる旨のデータを送信する問合データ送信部、問合データ送信部がデータを送信した受託者の候補の端末から、医療行為の支援を受託するか否かの問い合わせに対する回答を示すデータを受信する回答データ受信部、医療行為の支援を受託するとの回答を示すデータを回答データ受信部が受信した場合に、当該回答を行った医療従事者を、医療行為の支援を受託する受託者として決定する受託者決定部、受託者決定部が受託者を決定した場合に、その旨を通知するデータを、少なくとも、委嘱者の端末へ送信する通知データ送信部として機能させ、委嘱データ受信部は、委嘱者の端末から、医療行為の支援を所望する指名の医療従事者を更に示すデータを受信可能であり、受託者候補選択部は、他の医療従事者のうち、委嘱データ受信部が受信したデータによって示される指名の医療従事者が、少なくとも、当該データによって示される医療行為の支援の内容に対応し得る専門性と、当該データによって示される医療行為の支援の期日に対応し得るスケジュールとを有している場合、当該指名の医療従事者を、医療行為の支援を受託し得る受託者の候補として優先的に選択し、当該指名の医療従事者が、医療行為の支援の内容に対応し得る専門性と、医療行為の支援の期日に対応し得るスケジュールとの少なくとも一方を有していない場合、当該指名の医療従事者から推薦されている別の医療従事者を優先的に選択し直す。
【００１９】
本発明の第５の形態によると、複数の各医療従事者にそれぞれ利用される複数の端末に対して通信可能に設けられて、医療従事者同士の医療行為の支援を管理する医療支援管理装置として、コンピュータを機能させるプログラムを記録した記録媒体であって、コンピュータを、医療従事者のうち、他の医療従事者への医療行為の支援を委嘱する委嘱者の端末から、少なくとも、当該医療行為の支援の内容と期日とを示すデータを受信する委嘱データ受信部、他の医療従事者のうち、少なくとも、委嘱データ受信部が受信したデータによって示される医療行為の支援の内容に対応し得る専門性と、当該データによって示される医療行為の支援の期日に対応し得るスケジュールとを有する医療従事者を、医療行為の支援を受託し得る受託者の候補として選択し、当該受託者の候補と成り得る医療従事者が存在しない場合、所定の条件が整った後に、当該受託者と成り得る医療従事者を選択し直す受託者候補選択部、受託者候補選択部が選択した受託者の候補の端末へ、医療行為の支援を受託するか否かを問い合わせる旨のデータを送信する問合データ送信部、問合データ送信部がデータを送信した受託者の候補の端末から、医療行為の支援を受託するか否かの問い合わせに対する回答を示すデータを受信する回答データ受信部、医療行為の支援を受託するとの回答を示すデータを回答データ受信部が受信した場合に、当該回答を行った医療従事者を、医療行為の支援を受託する受託者として決定する受託者決定部、受託者決定部が受託者を決定した場合に、その旨を通知するデータを、少なくとも、委嘱者の端末へ送信する通知データ送信部として機能させ、委嘱データ受信部は、委嘱者の端末から、医療行為の支援を所望する指名の医療従事者を更に示すデータを受信可能であり、
受託者候補選択部は、他の医療従事者のうち、委嘱データ受信部が受信したデータによって示される指名の医療従事者が、少なくとも、当該データによって示される医療行為の支援の内容に対応し得る専門性と、当該データによって示される医療行為の支援の期日に対応し得るスケジュールとを有している場合、当該指名の医療従事者を、医療行為の支援を受託し得る受託者の候補として優先的に選択し、当該指名の医療従事者が、医療行為の支援の内容に対応し得る専門性と、医療行為の支援の期日に対応し得るスケジュールとの少なくとも一方を有していない場合、当該指名の医療従事者から推薦されている別の医療従事者を優先的に選択し直すことを特徴とするプログラムを記録した。
【００２０】
なお、上記の発明の概要は、本発明の必要な特徴の全てを列挙したものではない。また、これらの特徴群のサブコンビネーションもまた、発明となり得る。
【発明の効果】
【００２１】
以上の説明から明らかなように、この発明によっては、支援を受託する側の医師に対して、負担を強いることなく、その医師が多忙なスケジュールの合間を縫って、十分に時間を確保し得る支援の依頼を斡旋することができる。
【００２２】
また、この発明によっては、支援を委嘱する側の医師に対して、負担を強いることなく、支援のための十分な時間を確保し得る医師を紹介することができる。
【図面の簡単な説明】
【００２３】
【図１】一実施形態に係る医療支援管理システム１００の利用環境の一例を示す図である。
【図２】医療支援管理装置１１０のブロック構成の一例を示す図である。
【図３】医療従事者情報格納部１１９に格納される情報の一例をテーブル形式で示す図である。
【図４】スケジュール情報格納部１２０に格納される情報の一例をテーブル形式で示す図である。
【図５】委嘱情報格納部１２１に格納される情報の一例をテーブル形式で示す図である。
【図６】受託情報格納部１２２に格納される情報の一例をテーブル形式で示す図である。
【図７】医療支援管理装置１１０の動作フローの一例を示す図である。
【図８】医療支援管理装置１１０の動作フローの一例を示す図である。
【図９】医療支援管理装置１１０の動作フローの一例を示す図である。
【図１０】医療支援管理装置１１０の動作フローの一例を示す図である。
【図１１】本実施形態に係る医療支援管理装置１１０を構成するコンピュータ８００のハードウェア構成の一例を示す図である。
【発明を実施するための形態】
【００２４】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２５】
図１は、一実施形態に係る医療支援管理システム１００の利用環境の一例を示す。医療支援管理システム１００は、放射線治療専門医Ｄａ〜Ｄｄ（以下、放射線治療専門医Ｄと総称する。）同士の遠隔放射線医療支援を管理するシステムである。ここで、放射線治療専門医Ｄとは、一定水準以上の放射線科学全般に亘る知識と経験を認められた者に与えられる放射線科専門医の資格を取得した上で、放射線腫瘍学に関する深い専門知識と高い水準の放射線治療技術を有すると更に認められた放射線科医である。また、遠隔放射線医療支援とは、画像を主とした医療情報を電子化し、様々な通信技術を用いて異なる複数の施設間において医療情報を転送し、放射線治療計画を中心とする放射線治療の診療支援、評価、指導等を行うものである。遠隔放射線医療支援の運用例としては、常勤の放射線治療専門医Ｄがいない施設に対する放射線治療支援、常勤の放射線治療専門医Ｄがいる施設に対する補助的な放射線治療支援が考えられる。また、広義の遠隔放射線医療支援には、施設間の治療内容相互チェック、臨床試験等のデータ集積、解析、医療スタッフに対する教育、訓練を行うことも含まれる。なお、放射線治療専門医Ｄは、この発明における「医療従事者」の一例であってもよい。また、遠隔放射線医療支援は、この発明における「医療行為の支援」の一例であってもよい。
【００２６】
本実施形態において、放射線治療専門医Ｄａは、病院Ｈ１及び診療所Ｃ１に勤務しているものとする。また、本実施形態において、放射線治療専門医Ｄｂは、病院Ｈ１及び診療所Ｃ２に勤務しているものとする。また、本実施形態において、放射線治療専門医Ｄｃは、病院Ｈ２及び診療所Ｃ３に勤務しているものとする。また、本実施形態において、放射線治療専門医Ｄｄは、病院ｈ２及び診療所Ｃ４に勤務しているものとする。
【００２７】
本実施形態において、病院Ｈ１、Ｈ２は、治療施設として機能するものとする。ここで、治療施設とは、遠隔放射線医療支援を依頼し、実際に治療を行うことができる施設である。例えば、治療施設は、放射線科を標榜している保険医療機関である。また、例えば、治療施設には、放射線治療を担当する常勤の診療放射線技師が２名以上配置されている。例えば、診療放射線技師のうち、最低１名は、放射線治療を専ら担当し、且つ、５年以上の経験を有する。また、例えば、治療施設には、直線加速器又はマイクロトロンが設けられている。ここで、直線加速器とは、電気によって高速の素粒子流を作り出す装置である。直線加速器によっては、がん治療に使用可能な高エネルギー放射線を発生させることができる。また、マイクロトロンとは、放射線治療装置の一種である。マイクロトロンは、電子をマイクロ波の電界に同期させ、何回も加速することで得られる高エネルギー電子線及びＸ線を用いて、頭頸部を中心に乳房温存治療法、皮膚がん、リンパ節転移部位等の治療を行う。また、例えば、治療施設には、ＣＴ（Ｃｏｍｐｕｔｅｄ  Ｔｏｍｏｇｒａｐｈｙ）を用いた３次元放射線治療計画装置が設けられている。また、例えば、治療施設においては、２年に１回以上のリファレンス線量計の校正、及び１ヶ月に１回以上のリファレンス線量計による治療装置の精度管理を最低限含む放射線治療に関する機器の精度管理が定期的に行われる。
【００２８】
本実施形態において、診療所Ｃ１〜Ｃ４は、計画施設として機能するものとする。また、本実施形態において、病院Ｈ１、Ｈ２は、計画施設としても機能するものとする。ここで、計画施設とは、遠隔放射線医療支援を受託することができる施設である。例えば、計画施設は、放射線科を標榜している保険医療機関である。また、例えば、計画施設には、放射線治療を専ら担当する常勤の医師が２名以上配置されている。例えば、このうち１名は、放射線治療の経験を５年以上有し、放射線治療専門医である。また、例えば、計画施設には、放射線治療に専従する医学物理士が１名以上配置されている。
【００２９】
医療支援管理システム１００は、医療支援管理装置１１０を備える。医療支援管理装置１１０は、放射線治療専門医Ｄ同士の遠隔放射線医療支援を管理する装置である。医療支援管理装置１１０は、複数の各放射線治療専門医Ｄにそれぞれ利用される複数の端末Ｔａ１〜Ｔａ３、Ｔｂ１〜Ｔｂ３、Ｔｃ１〜Ｔｃ３、Ｔｄ１〜Ｔｄ３（以下、端末Ｔと総称する。）に対して、通信回線Ｎを介して通信可能に設けられている。なお、通信回線Ｎは、インターネット等のコンピュータネットワーク、通信事業者のコアネットワーク、及び種々のローカルネットワークを含む。
【００３０】
端末Ｔａ１〜Ｔａ３（以下、端末Ｔａと総称する。）は、放射線治療専門医Ｄａによって利用される端末である。端末Ｔａ１は、病院Ｈ１に設けられている。端末Ｔａ２は、診療所Ｃ１に設けられている。端末Ｔａ３は、放射線治療専門医Ｄａに携帯される。
【００３１】
端末Ｔｂ１〜Ｔｂ３（以下、端末Ｔｂと総称する。）は、放射線治療専門医Ｄｂによって利用される端末である。端末Ｔｂ１は、病院Ｈ１に設けられている。端末Ｔｂ２は、診療所Ｃ２に設けられている。端末Ｔｂ３は、放射線治療専門医Ｄｂに携帯される。
【００３２】
端末Ｔｃ１〜Ｔｃ３（以下、端末Ｔｃと総称する。）は、放射線治療専門医Ｄｃによって利用される端末である。端末Ｔｃ１は、病院Ｈ２に設けられている。端末Ｔｃ２は、診療所Ｃ３に設けられている。端末Ｔｃ３は、放射線治療専門医Ｄｃに携帯される。
【００３３】
端末Ｔｄ１〜Ｔｄ３（以下、端末Ｔｄと総称する。）は、放射線治療専門医Ｄｄによって利用される端末である。端末Ｔｄ１は、病院Ｈ２に設けられている。端末Ｔｄ２は、診療所Ｃ４に設けられている。端末Ｔｄ３は、放射線治療専門医Ｄｄに携帯される。
【００３４】
なお、本実施形態においては、説明が煩雑になることを防ぐことを目的として、医療支援管理システム１００が一の医療支援管理装置１１０を備える構成について説明する。しかしながら、医療支援管理システム１００は、複数の医療支援管理装置１１０を備えてもよい。
【００３５】
図２は、医療支援管理装置１１０のブロック構成の一例を示す。医療支援管理装置１１０は、医療従事者データ受信部１１１、スケジュールデータ受信部１１２、委嘱データ受信部１１３、受託者候補選択部１１４、問合データ送信部１１５、回答データ受信部１１６、受託者決定部１１７、通知データ送信部１１８、医療従事者情報格納部１１９、スケジュール情報格納部１２０、委嘱情報格納部１２１及び受託情報格納部１２２を有する。以下の説明においては、各構成要素の機能及び動作を詳述する。
【００３６】
医療従事者データ受信部１１１は、医療支援管理システム１００を利用する放射線治療専門医Ｄに関する情報を示すデータを、その放射線治療専門医Ｄの端末Ｔから受信する。
【００３７】
スケジュールデータ受信部１１２は、放射線治療専門医Ｄのスケジュールを示すデータを、その放射線治療専門医Ｄの端末Ｔから受信する。
【００３８】
委嘱データ受信部１１３は、放射線治療専門医Ｄのうち、他の放射線治療専門医Ｄへの遠隔放射線医療支援を委嘱する委嘱者の端末から、少なくとも、その遠隔放射線医療支援の内容と期日とを示すデータを受信する。
【００３９】
また、委嘱データ受信部１１３は、委嘱者の端末から、遠隔放射線医療支援を所望する指名の放射線治療専門医Ｄを更に示すデータを受信してもよい。
【００４０】
受託者候補選択部１１４は、委嘱者以外の他の放射線治療専門医Ｄのうち、少なくとも、委嘱データ受信部１１３が受信したデータによって示される遠隔放射線医療支援の内容に対応し得る専門性と、そのデータによって示される遠隔放射線医療支援の期日に対応し得るスケジュールとを有する放射線治療専門医Ｄを、遠隔放射線医療支援を受託し得る受託者の候補として選択し、その受託者の候補と成り得る放射線治療専門医Ｄが存在しない場合、所定の条件が整った後に、その受託者と成り得る放射線治療専門医Ｄを選択し直す。
【００４１】
また、受託者候補選択部１１４は、委嘱者以外の他の放射線治療専門医Ｄのうち、委嘱データ受信部１１３が受信したデータによって示される遠隔放射線医療支援の期日までに、そのデータによって示される遠隔放射線医療支援の内容に対応し得る環境を確保し得るスケジュールを更に有する放射線治療専門医Ｄを、遠隔放射線医療支援を受託し得る受託者の候補として選択してもよい。
【００４２】
また、受託者候補選択部１１４は、委嘱者以外の他の放射線治療専門医Ｄのうち、委嘱データ受信部１１３が受信したデータによって示される遠隔放射線医療支援の期日に、そのデータによって示される遠隔放射線医療支援の内容に対応し得る環境を確保し得るスケジュールを更に有する放射線治療専門医Ｄを、遠隔放射線医療支援を受託し得る受託者の候補として選択してもよい。
【００４３】
また、受託者候補選択部１１４は、委嘱者以外の他の放射線治療専門医Ｄのうち、委嘱データ受信部１１３が受信したデータによって示される指名の放射線治療専門医Ｄが、少なくとも、そのデータによって示される遠隔放射線医療支援の内容に対応し得る専門性と、そのデータによって示される遠隔放射線医療支援の期日に対応し得るスケジュールとを有している場合、その指名の放射線治療専門医Ｄを、遠隔放射線医療支援を受託し得る受託者の候補として優先的に選択してもよい。
【００４４】
また、受託者候補選択部１１４は、委嘱者以外の他の放射線治療専門医Ｄのうち、委嘱データ受信部１１３が受信したデータによって示される指名の放射線治療専門医Ｄが、そのデータによって示される遠隔放射線医療支援の内容に対応し得る専門性と、そのデータによって示される遠隔放射線医療支援の期日に対応し得るスケジュールとの少なくとも一方を有していない場合、その指名の放射線治療専門医Ｄから推薦されている別の放射線治療専門医Ｄを優先的に選択し直してもよい。
【００４５】
また、受託者候補選択部１１４は、受託者決定部１１７が受託者を決定する前に、遠隔放射線医療支援の変更後の内容と期日とを示すデータを委嘱データ受信部１１３が受信した場合、受託者と成り得る別の放射線治療専門医Ｄを選択し直し、受託者決定部１１７が受託者を決定した後に、遠隔放射線医療支援の変更後の内容と期日とを示すデータを委嘱データ受信部１１３が受信した場合に、受託者として決定されている放射線治療専門医Ｄが、少なくとも、委嘱データ受信部１１３が受信したデータによって示される遠隔放射線医療支援の変更後の内容に対応し得る専門性と、そのデータによって示される遠隔放射線医療支援の変更後の期日に対応し得るスケジュールとを有している場合、その放射線治療専門医Ｄを、遠隔放射線医療支援を受託し得る受託者の候補として改めて選択してもよい。
【００４６】
また、受託者候補選択部１１４は、受託者として決定されている放射線治療専門医Ｄのスケジュールに変更が生じた場合に、その放射線治療専門医Ｄの変更後のスケジュールが遠隔放射線医療支援の期日に対応し得る場合、その放射線治療専門医Ｄを、遠隔放射線医療支援を受託し得る受託者の候補として改めて選択し、その放射線治療専門医Ｄの変更後のスケジュールが遠隔放射線医療支援の期日に対応し得ない場合には、その放射線治療専門医Ｄ以外の別の放射線治療専門医Ｄを選択し直してもよい。
【００４７】
問合データ送信部１１５は、受託者候補選択部１１４が選択した受託者の候補の端末Ｔへ、遠隔放射線医療支援を受託するか否かを問い合わせる旨のデータを送信する。
【００４８】
回答データ受信部１１６は、問合データ送信部１１５がデータを送信した受託者の候補の端末Ｔから、遠隔放射線医療支援を受託するか否かの問い合わせに対する回答を示すデータを受信する。
【００４９】
受託者決定部１１７は、遠隔放射線医療支援を受託するとの回答を示すデータを回答データ受信部１１６が受信した場合に、その回答を行った放射線治療専門医Ｄを、遠隔放射線医療支援を受託する受託者として決定する。
【００５０】
通知データ送信部１１８は、受託者決定部１１７が受託者を決定した場合に、その旨を通知するデータを、少なくとも、委嘱者の端末へ送信する。
【００５１】
医療従事者情報格納部１１９には、放射線治療専門医Ｄに関する情報が格納される。
【００５２】
スケジュール情報格納部１２０には、放射線治療専門医Ｄのスケジュールに関する情報が格納される。
【００５３】
委嘱情報格納部１２１には、委嘱された遠隔放射線医療支援に関する情報が格納される。
【００５４】
受託情報格納部１２２には、受託された遠隔放射線医療支援に関する情報が格納される。
【００５５】
図３は、医療従事者情報格納部１１９に格納される情報の一例をテーブル形式で示す。医療従事者情報格納部１１９には、専門医ＩＤ（ｉｄｅｎｔｉｆｉｅｒ）、氏名、受託可能疾患、勤務先、メールアドレス、推薦医師、端末スペック、アクセス回線、治療計画装置及びビデオ会議の各情報が対応付けられて格納される。
【００５６】
専門医ＩＤの情報は、各放射線治療専門医Ｄを一意に識別するための識別符号である。
【００５７】
氏名の情報は、専門医ＩＤによって識別される放射線治療専門医Ｄの氏名を示す情報である。例えば、この例においては、専門医ＩＤ「Ｄ２２３８」によって識別される放射線治療専門医Ｄの氏名が「山田  太郎」であることを示している。本実施形態においては、放射線治療専門医Ｄａの氏名が「山田  太郎」、放射線治療専門医Ｄｂの氏名が「佐藤  花子」、放射線治療専門医Ｄｃの氏名が「田中  実」、放射線治療専門医Ｄｄの氏名が「杉谷  遥香」であるものとする。
【００５８】
受託可能疾患の情報は、専門医ＩＤによって識別される放射線治療専門医Ｄが遠隔放射線医療支援を受託し得る疾患を示す情報である。例えば、この例においては、専門医ＩＤ「Ｄ２２３８」によって識別される放射線治療専門医Ｄが「頭頸部がん、肺がん、消化器がん、婦人生殖器がん、泌尿器がん、皮膚がん」に関する遠隔放射線医療支援を受託し得ることを示している。
【００５９】
勤務先の情報は、専門にＩＤによって識別される放射線治療専門医Ｄが勤務している病院や診療所を示す情報である。例えば、この例においては、専門医ＩＤ「Ｄ２２３８」によって識別される放射線治療専門医Ｄが「病院Ｈ１及び診療所Ｃ１」に勤務していることを示している。
【００６０】
メールアドレスの情報は、専門医ＩＤによって識別される放射線治療専門医Ｄのメールアドレスを示す情報である。例えば、この例においては、専門医ＩＤ「Ｄ２２３８」によって識別される放射線治療専門医Ｄのメールアドレスが「ｔａｒｏ＠ｘｘｘ．ｎｅｔ」であることを示している。
【００６１】
推薦医師の情報は、専門医ＩＤによって識別される放射線治療医師Ｄから推薦されている別の放射線治療医師Ｄを示す情報である。例えば、この例においては、専門医ＩＤ「Ｄ２２３８」によって識別される放射線治療専門医Ｄから、「佐藤  花子」が推薦されていることを示している。
【００６２】
端末スペックの情報は、専門医ＩＤによって識別される放射線治療専門医Ｄの勤務先の端末Ｔが、患者の医療情報に含まれる画像を再生し得るスペックを有しているか否かを示す情報である。例えば、この例においては、専門医ＩＤ「Ｄ２２３８」によって識別される放射線治療専門医Ｄの勤務先「病院Ｈ１」の端末Ｔａ１が、「患者の医療情報に含まれる画像を再生し得る」ことを示している。
【００６３】
アクセス回線の情報は、専門医ＩＤによって識別される放射線治療専門医Ｄの勤務先のアクセス回線の速度を示す情報である。例えば、この例においては、専門医ＩＤ「Ｄ２２３８」によって識別される放射線治療専門医Ｄの勤務先「病院Ｈ１」のアクセス回線の速度が「１Ｇｂｐｓ」であることを示している。
【００６４】
治療計画装置の情報は、専門医ＩＤによって識別される放射線治療専門医Ｄの勤務先に、３次元放射線治療計画装置が設けられているか否かを示す情報である。例えば、この例においては、専門医ＩＤ「Ｄ２２３８」によって識別される放射線治療専門医Ｄの勤務先「病院Ｈ１」に、３次元放射線治療計画装置が設けられていることを示している。
【００６５】
ビデオ会議の情報は、専門医ＩＤによって識別される放射線治療専門医Ｄの勤務先にて、他の施設とのビデオ会議を行うことができるか否かを示す情報である。例えば、この例においては、専門医ＩＤ「Ｄ２２３８」によって識別される放射線治療専門医Ｄの勤務先「病院Ｈ１」にて、「他の施設とのビデオ会議を行うことができる」ことを示している。
【００６６】
図４は、スケジュール情報格納部１２０に格納される情報の一例をテーブル形式で示す。スケジュール情報格納部１２０には、専門医ＩＤ、開始時刻、終了時刻及び所在の各情報が対応付けられて格納される。
【００６７】
専門医ＩＤの情報は、上述したとおり、各放射線治療専門医Ｄを一意に識別するための識別符号である。
【００６８】
開始時刻の情報は、専門医ＩＤによって識別される放射線治療専門医Ｄの予定が入っていない時間帯の開始時刻を示す情報である。終了時刻の情報は、専門医ＩＤによって識別される放射線治療専門医Ｄの予定が入っていない時間帯の終了時刻を示す情報である。所在の情報は、専門医ＩＤによって識別される放射線治療専門医Ｄの予定が入っていない時間帯にとどまっている施設を示す情報である。例えば、この例においては、専門医ＩＤ「Ｄ１１２７」によって識別される放射線治療専門医Ｄが、予定が入っていない時間帯「２０１３年１１月１０日１０時〜１２時」に、「病院Ｈ２」にとどまっていることを示している。
【００６９】
図５は、委嘱情報格納部１２１に格納される情報の一例をテーブル形式で示す。委嘱情報格納部１２１には、委嘱番号、専門医ＩＤ、疾患、支援内容、支援期日、ビデオ会議利用、指名医師、医療情報送付期限及び回答期限の各情報が対応付けられて格納される。
【００７０】
委嘱番号の情報は、放射線治療専門医Ｄから委嘱された各遠隔放射線医療支援を一意に識別するための識別符号である。
【００７１】
専門医ＩＤの情報は、上述したとおり、各放射線治療専門医Ｄを一意に識別するための識別符号であって、委嘱番号によって識別される遠隔放射線医療支援を委嘱した放射線治療専門医Ｄを示す情報である。例えば、この例においては、委嘱番号「０００１」によって識別される遠隔放射線医療支援を、専門医ＩＤ「Ｄ２２３８」によって識別される放射線治療専門医Ｄが委嘱したことを示している。
【００７２】
疾患の情報は、委嘱番号によって識別される遠隔放射線医療支援の対象の患者の疾患を示す情報である。例えば、この例においては、委嘱番号「０００１」によって識別される遠隔放射線医療支援の対象の患者の疾患が「乳がん」であることを示している。
【００７３】
支援内容の情報は、委嘱番号によって識別される遠隔放射線医療支援の内容を示す情報である。例えば、この例においては、委嘱番号「０００１」によって識別される遠隔放射線医療支援の内容が「治療計画」であることを示している。
【００７４】
支援期日の情報は、委嘱番号によって識別される遠隔放射線医療支援の期日を示す情報である。ビデオ会議利用の情報は、委嘱番号によって識別される遠隔放射線医療支援がビデオ会議を利用するものであるか否かを示す情報である。本実施形態においては、遠隔放射線治療計画がビデオ会議を利用するものである場合、遠隔放射線医療支援の期日はビデオ会議が開始される時刻を示すものとする。また、遠隔放射線治療計画がビデオ会議を利用するものではない場合、遠隔放射線治療計画の期日は支援を受ける期限を示すものとする。例えば、この例においては、委嘱番号「０００１」によって識別される遠隔放射線医療支援の「ビデオ会議を利用した支援」が「２０１３年１１月２８日１３時」から開始されることを示している。
【００７５】
指名医師の情報は、委嘱番号によって識別される遠隔放射線医療支援の委嘱先として指名された医師の氏名を示す情報である。例えば、この例においては、委嘱番号「０００１」によって識別される遠隔放射線医療支援の委嘱先として「田中  実」が指名されていることを示している。
【００７６】
医療情報送付期限の情報は、委嘱番号によって識別される遠隔放射線医療支援に関する医療情報が送付される期限を示す情報である。例えば、この例においては、委嘱番号「０００１」によって識別される遠隔放射線医療支援に関する医療情報が「２０１３年１１月２５日」までに送付されることを示している。
【００７７】
回答期限の情報は、委嘱番号によって識別される遠隔放射線医療支援について受託者が見つからない場合に、遠隔放射線医療支援の委嘱がキャンセルされる期限を示す情報である。例えば、この例においては、委嘱番号「０００１」によって識別される遠隔放射線医療支援について、「２０１３年１１月２０日」までに受託者が見つからない場合、委嘱がキャンセルされることを示している。
【００７８】
図６は、受託情報格納部１２２に格納される情報の一例をテーブル形式で示す。受託情報格納部１２２には、委嘱番号及び専門医ＩＤの各情報が対応付けられて格納される。
【００７９】
委嘱番号の情報は、上述したとおり、放射線治療専門医Ｄから委嘱された各遠隔放射線医療支援を一意に識別するための識別符号である。
【００８０】
専門医ＩＤの情報は、上述したとおり、各放射線治療専門医Ｄを一意に識別するための識別符号であって、委嘱番号によって識別される遠隔放射線医療支援を受託した放射線治療専門医Ｄを示す情報である。例えば、この例においては、委嘱番号「０００１」によって識別される遠隔放射線医療支援を、専門医ＩＤ「Ｄ１１２７」によって識別される放射線治療専門医Ｄが受託したことを示している。
【００８１】
図７は、医療支援管理装置１１０の動作フローの一例を示す。この動作フローの説明においては、放射線治療専門医Ｄが医療支援管理システム１００のユーザ登録を行った際の処理について詳述する。なお、この動作フローの説明においては、図１から図６を共に参照する。
【００８２】
放射線治療専門医Ｄは、医療支援管理システム１００を利用するにあたり、ユーザ登録を行う。例えば、放射線治療専門医Ｄは、医療支援管理システム１００のユーザ登録用のＷｅｂサイトに端末Ｔにてアクセスして、ユーザ登録を行う。その際、放射線治療専門医Ｄは、例えば、上述したような、専門医ＩＤ、氏名、受託可能疾患、勤務先、メールアドレス、推薦医師、端末スペック、アクセス回線、治療計画装置及びビデオ会議等の各情報を、Ｗｅｂサイトの入力フォームに入力して、これらの情報を医療支援管理装置１１０へ送信させるためのＷｅｂページの登録ボタンを押下操作する。このような操作が成されると、端末Ｔは、入力フォームに入力された各情報を示すデータを、医療支援管理装置１１０へ送信する。
【００８３】
医療支援管理装置１１０の医療従事者データ受信部１１１は、端末Ｔから送信されたデータを受信すると（Ｓ１０１）、そのデータによって示される各情報を対応付けて、医療従事者情報格納部１１９に格納する（Ｓ１０２）。このようにして、医療従事者情報格納部１１９には、例えば、図３に示すような情報が格納されることになる。
【００８４】
図８は、医療支援管理装置１１０の動作フローの一例を示す。この動作フローの説明においては、放射線治療専門医Ｄがスケジュールの登録を行った際の処理について詳述する。なお、この動作フローの説明においては、図１から図７を共に参照する。
【００８５】
放射線治療専門医Ｄは、遠隔放射線医療支援の受託者の候補となるにあたり、自身の予定が入っていないスケジュール情報の登録を行う。例えば、放射線治療専門医Ｄは、医療支援管理システム１００のスケジュール登録用のＷｅｂサイトに端末Ｔにてアクセスして、スケジュール情報の登録を行う。その際、放射線治療専門医Ｄは、例えば、上述したような、専門医ＩＤ、開始時刻、終了時刻及び所在等の各情報を、Ｗｅｂサイトの入力フォームに入力して、これらの情報を医療支援管理装置１１０へ送信させるためのＷｅｂページの登録ボタンを押下操作する。このような操作が成されると、端末Ｔは、入力フォームに入力された各情報を示すデータを、医療支援管理装置１１０へ送信する。
【００８６】
医療支援管理装置１１０のスケジュールデータ受信部１１２は、端末Ｔから送信されたデータを受信すると（Ｓ２０１）、そのデータによって示される各情報を対応付けて、スケジュール情報格納部１２０に格納する（Ｓ１０２）。このようにして、スケジュール情報格納部１２０には、例えば、図４に示すような情報が格納されることになる。
【００８７】
図９は、医療支援管理装置１１０の動作フローの一例を示す。この動作フローの説明においては、放射線治療専門医Ｄが遠隔放射線医療支援の委嘱を行った際の処理について詳述する。なお、この動作フローの説明においては、図１から図８を共に参照する。
【００８８】
遠隔放射線医療支援の委嘱者は、支援を委嘱するにあたり、少なくとも、上述したような、専門医ＩＤ、支援内容及び支援期日の情報を含む委嘱情報の登録を行う。また、委嘱者は、委嘱情報として、上述したような、疾患、指名医師、ビデオ会議利用、医療情報送付期限及び回答期限等の情報を登録してもよい。例えば、委嘱者は、医療支援管理システム１００の委嘱情報登録用のＷｅｂサイトに端末Ｔにてアクセスして、委嘱情報の登録を行う。その際、委嘱者は、委嘱情報をＷｅｂサイトの入力フォームに入力して、これらの情報を医療支援管理装置１１０へ送信させるためのＷｅｂページの登録ボタンを押下操作する。このような操作が成されると、端末Ｔは、入力フォームに入力された委嘱情報を示すデータを、医療支援管理装置１１０へ送信する。
【００８９】
医療支援管理装置１１０の委嘱データ受信部１１３は、端末Ｔから送信されたデータを受信すると（Ｓ３０１）、そのデータによって示される各情報を対応付けて、新たな委嘱番号を付して、委嘱情報格納部１２１に格納する（Ｓ３０２）。このようにして、委嘱情報格納部１２１には、例えば、図５に示すような情報が格納されることになる。
【００９０】
委嘱情報格納部１２１に新たな情報が格納されると、医療支援管理装置１１０の受託者候補選択部１１４は、委嘱情報格納部１２１に格納された新たな情報と、医療従事者情報格納部１１９及びスケジュール情報格納部１２０それぞれ格納されている情報とを参照して、委嘱者から委嘱された遠隔放射線医療支援を受託し得る受託者の候補を選択する（Ｓ３０３）。より具体的に説明すると、受託者候補選択部１１４は、委嘱者以外の他の放射線治療専門医Ｄのうち、少なくとも、委嘱された遠隔放射線医療支援の内容に対応し得る専門性と、委嘱された遠隔放射線医療支援の期日に対応し得るスケジュールとを有する放射線治療専門医Ｄを、遠隔放射線医療支援を受託し得る受託者の候補として選択する。例えば、図５に示す委嘱番号「０００１」が付された情報が委嘱情報格納部１２１に新たに格納された場合、委託者は、専門医ＩＤ「Ｄ２２３８」によって識別される「山田  太郎」である。したがって、受託者候補選択部１１４は、図３に示す医療従事者情報格納部１１９に格納されている情報のうち、委嘱された遠隔放射線医療支援の内容である「乳がんの患者に対する治療計画」を受託可能疾患としている「山田  太郎」以外の「佐藤  花子」、「田中  実」及び「杉谷  遥香」等を、委嘱された遠隔放射線医療支援の内容に対応し得る専門性を有する放射線治療専門医Ｄとして選択する。そして、受託者候補選択部１１４は、スケジュール情報格納部１２０に格納されている「佐藤  花子」、「田中  実」及び「杉谷  遥香」等の放射線治療専門医Ｄのスケジュールの情報を参照して、委嘱された遠隔放射線医療支援の期日「２０１３年１１月２８日１３時」までに、委嘱された遠隔放射線医療支援の内容「乳がんの患者に対する治療計画」を行うのに必要な時間を確保し得る放射線治療専門医Ｄを選択する。ここで、複数人の放射線治療専門医Ｄが選択され得る場合、放射線治療専門医Ｄは、それらの放射線治療専門医Ｄのうち、一の放射線治療専門医Ｄを選択する。
【００９１】
また、受託者候補選択部１１４は、委嘱者以外の他の放射線治療専門医Ｄのうち、委嘱された遠隔放射線医療支援の期日までに、その遠隔放射線医療支援の内容に対応し得る環境を確保し得るスケジュールを更に有する放射線治療専門医Ｄを、遠隔放射線医療支援を受託し得る受託者の候補として選択してもよい。例えば、治療計画は、３次元放射線治療計画装置が設けられた施設でなければ行うことができない。したがって、上述した例の場合、受託者候補選択部１１４は、医療従事者情報格納部１１９に格納されている治療計画装置の情報と、スケジュール情報格納部１２０に格納されている「佐藤  花子」、「田中  実」及び「杉谷  遥香」等の放射線治療専門医Ｄのスケジュールの情報とを参照して、委嘱された遠隔放射線医療支援の期日「２０１３年１１月２８日１３時」までに、委嘱された遠隔放射線医療支援の内容「乳がんの患者に対する治療計画」を行うのに必要な時間を、３次元放射線治療計画装置が設けられた施設にて確保し得る放射線治療専門医Ｄを選択してもよい。また、例えば、医療情報に含まれる画像は、所定のソフトウェアがインストールされた端末でなければ再生することができず、そのデータ量も膨大である。したがって、上述した例の場合、受託者候補選択部１１４は、医療従事者情報格納部１１９に格納されている端末スペック及びアクセス回線の情報と、スケジュール情報格納部１２０に格納されている「佐藤  花子」、「田中  実」及び「杉谷  遥香」等の放射線治療専門医Ｄのスケジュールの情報とを参照して、委嘱された遠隔放射線医療支援の期日「２０１３年１１月２８日１３時」までに、医療情報に含まれる画像を再生し得るスペックの端末Ｔにて画像データをダウンロードするのにかかる時間が経過してもなお、委嘱された遠隔放射線医療支援の内容「乳がんの患者に対する治療計画」を行うのに必要な時間を確保し得る放射線治療専門医Ｄを選択してもよい。
【００９２】
また、受託者候補選択部１１４は、委嘱者以外の他の放射線治療専門医Ｄのうち、委嘱された遠隔放射線医療支援の期日に、その遠隔放射線医療支援の内容に対応し得る環境を確保し得るスケジュールを更に有する放射線治療専門医Ｄを、遠隔放射線医療支援を受託し得る受託者の候補として選択してもよい。例えば、委嘱者がビデオ会議による回答を希望している場合、受託者は、遠隔放射線医療支援の期日に、ビデオ会議に対応し得る施設にいなければならない。したがって、上述した例の場合、受託者候補選択部１１４は、医療従事者情報格納部１１９に格納されているビデオ会議の情報と、スケジュール情報格納部１２０に格納されている「佐藤  花子」、「田中  実」及び「杉谷  遥香」等の放射線治療専門医Ｄのスケジュールの情報とを参照して、委嘱された遠隔放射線医療支援の期日「２０１３年１１月２８日１３時」に、ビデオ会議による回答を行うことができる施設にいる放射線治療専門医Ｄを選択してもよい。
【００９３】
また、受託者候補選択部１１４は、委嘱者以外の他の放射線治療専門医Ｄのうち、委嘱者から指名された放射線治療専門医Ｄが、少なくとも、そのデータによって示される遠隔放射線医療支援の内容に対応し得る専門性と、そのデータによって示される遠隔放射線医療支援の期日に対応し得るスケジュールとを有している場合、その指名の放射線治療専門医Ｄを、遠隔放射線医療支援を受託し得る受託者の候補として優先的に選択してもよい。例えば、上述した例の場合、受託者候補選択部１１４は、委嘱者「山田  太郎」から指名された「田中  実」が、少なくとも、そのデータによって示される遠隔放射線医療支援の内容に対応し得る専門性と、そのデータによって示される遠隔放射線医療支援の期日に対応し得るスケジュールとを有している場合、「田中  実」を、遠隔放射線医療支援を受託し得る受託者の候補として優先的に選択してもよい。
【００９４】
また、受託者候補選択部１１４は、委嘱者以外の他の放射線治療専門医Ｄのうち、委嘱者から指名された放射線治療専門医Ｄが、委嘱された遠隔放射線医療支援の内容に対応し得る専門性と、その遠隔放射線医療支援の期日に対応し得るスケジュールとの少なくとも一方を有していない場合、その指名の放射線治療専門医Ｄから推薦されている別の放射線治療専門医Ｄを優先的に選択し直してもよい。例えば、上述した例の場合、「田中  実」は、「杉谷  遥香」を推薦している。したがって、委嘱された遠隔放射線医療支援の内容に対応し得る専門性と、その遠隔放射線医療支援の期日に対応し得るスケジュールとの少なくとも一方を、「田中  実」が有していない場合、受託者候補選択部１１４は、「杉谷  遥香」を優先的に選択し直してもよい。
【００９５】
受託者候補選択部１１４は、このようにして委嘱者から委嘱された遠隔放射線医療支援を受託し得る受託者の候補を選択すると（Ｓ３０４：Ｙｅｓ）、医療従事者情報格納部１１９に格納されているメールアドレスの情報を参照して、選択された受託者の候補のメールアドレスを示すデータを、問合データ送信部１１５へ送る。
【００９６】
問合データ送信部１１５は、受託者候補選択部１１４から送られたデータを受け取ると、そのデータによって示されるメールアドレスへ、委嘱された遠隔放射線医療支援を識別する委嘱番号と、その遠隔放射線医療支援を受託するか否かを問い合わせる旨の電子メールを送信する（Ｓ３０５）。なお、遠隔放射線医療支援を受託するか否かを問い合わせる旨の電子メールを送信することは、この発明における「医療行為の支援を受託するか否かを問い合わせる旨のデータを送信する」ことの一例であってもよい。
【００９７】
このようにして、電子メールを受信した放射線治療専門医Ｄは、遠隔放射線医療支援の受託者の候補として、自身が選択されたことを知ることになる。
【００９８】
一方、受託者の候補と成り得る放射線治療専門医Ｄが存在しないために、選択することができない場合（Ｓ３０４：Ｎｏ）、受託者候補選択部１１４は、所定の条件が整った後に（Ｓ３０６：Ｙｅｓ、Ｓ３０６：Ｎｏ→Ｓ３０６：Ｙｅｓ）、受託者と成り得る放射線治療専門医Ｄを選択し直す（Ｓ３０３）。例えば、受託者候補選択部１１４は、所定時間が経過した後に、受託者と成り得る放射線治療専門医Ｄを選択し直す。また、例えば、受託者候補選択部１１４は、委嘱者以外の他の放射線治療専門医Ｄのスケジュールの情報が更新される度に、受託者と成り得る放射線治療専門医Ｄを選択し直す。なお、所定時間が経過した後や、委嘱者以外の他の放射線治療専門医Ｄのスケジュールの情報が更新される度は、この発明における「所定の条件が整った後」の一例であってもよい。
【００９９】
図１０は、医療支援管理装置１１０の動作フローの一例を示す。この動作フローの説明においては、受託者の候補となった放射線治療専門医Ｄから、遠隔放射線医療支援を受託するか否かの回答が成された際の処理について詳述する。なお、この動作フローの説明においては、図１から図９を共に参照する。
【０１００】
上述したように、遠隔放射線医療支援を受託するか否かを問い合わせる旨の電子メールを医療支援管理装置１１０から受信した放射線治療専門医Ｄは、委嘱された遠隔放射線医療支援を識別する委嘱番号と、その問い合わせに対する回答を示す電子メールを医療支援管理装置１１０へ返信する。例えば、受託者の候補となった放射線治療専門医Ｄは、医療支援管理装置１１０から受信した電子メールに表示されている「受託する」との回答を送信するためのボタン、又は「受託しない」との回答を送信するためのボタンを押下操作することによって、問い合わせに対する回答を示す電子メールを医療支援管理装置１１０へ返信する。
【０１０１】
医療支援管理装置１１０の回答データ受信部１１６は、受託者の候補となった放射線治療専門医Ｄから返信された電子メールを受信すると（Ｓ４０１）、その電子メールによって示される回答が、遠隔放射線医療支援を受託するとの回答である場合（Ｓ４０２：Ｙｅｓ）、その電子メールによって示される委嘱番号と、その電子メールの送信者のメールアドレスとを示すデータを、受託者決定部１１７へ送る。なお、受託者の候補となった放射線治療専門医Ｄから返信された電子メールを受信することは、この発明における「問合データ送信部がデータを送信した受託者の候補の端末から、医療行為の支援を受託するか否かの問い合わせに対する回答を示すデータを受信する」ことの一例であってもよい。
【０１０２】
医療支援管理装置１１０の受託者決定部１１７は、回答データ受信部１１６から送られたデータを受け取ると、そのデータによって示される電子メールの送信者を、その電子メールによって示される委嘱番号によって識別される遠隔放射線医療支援を受託する受託者として決定する（Ｓ４０３）。そして、受託者決定部１１７は、医療従事者情報格納部１１９に格納されている情報を参照して、電子メールの送信者である放射線治療専門医Ｄを特定する。そして、受託者決定部１１７は、特定した放射線治療専門医Ｄの専門医ＩＤの情報と、委嘱番号の情報とを対応付けて、受託情報格納部１２２に格納する。
【０１０３】
このようにして、受託情報格納部１２２に新たな情報が格納されると、医療支援管理装置１１０の通知データ送信部１１８は、医療従事者情報格納部１１９、委嘱情報格納部１２１及び受託情報格納部１２２に格納されている情報を参照して、受託者が決定された遠隔放射線医療支援の委託者のメールアドレスへ、受託者が決定したことを通知する旨の電子メールを送信する（Ｓ４０４）。例えば、通知データ送信部１１８は、受託者の氏名、勤務先及びメールアドレス等の受託者に関する情報を示す電子メールを、委託者のメールアドレスへ送信する。また、通知データ送信部１１８は、委嘱者の氏名、勤務先及びメールアドレス等の受託者に関する情報を示す電子メールを、受託者のメールアドレスへ送信してもよい。なお、受託者が決定された遠隔放射線医療支援の委託者のメールアドレスへ、受託者が決定したことを通知する旨の電子メールを送信することは、この発明における「受託者決定部が受託者を決定した場合に、その旨を通知するデータを、少なくとも、委嘱者の端末へ送信する」ことの一例であってもよい。
【０１０４】
このようにして、遠隔放射線医療支援の委嘱者は、受託者が決定されたことを知ることになる。
【０１０５】
一方、受託者の候補となった放射線治療専門医Ｄから返信された電子メールによって示される回答が、遠隔放射線医療支援を受託しないとの回答である場合（Ｓ４０２：Ｎｏ）、回答データ受信部１１６は、その電子メールによって示される委嘱番号と、その電子メールの送信者のメールアドレスとを示すデータを、受託者候補選択部１１４へ送る。
【０１０６】
受託者候補選択部１１４は、回答データ受信部１１６から送られたデータを受け取ると、図９のステップＳ３０３からＳ３０６において説明したようにして、そのデータによって示される委嘱番号によって識別される遠隔放射線医療支援の受託者の候補として、そのデータによって示される電子メールの送信者である放射線治療専門医Ｄ以外の別の放射線治療専門医Ｄを、その遠隔放射線医療支援を受託し得る受託者の候補として選択し直す。
【０１０７】
このようにして、受託者の候補として選択された放射線治療専門医Ｄから受託を拒否されても、医療支援管理装置１１０は、別の放射線治療専門医Ｄを、受託者の候補として選択することになる。
【０１０８】
ここで、受託者決定部１１７が受託者を決定する前に、遠隔放射線医療支援の変更後の内容と期日とを示すデータを委嘱データ受信部１１３が受信した場合、受託者候補選択部１１４は、受託者と成り得る別の放射線治療専門医Ｄを選択し直してもよい。
【０１０９】
一方、受託者決定部１１７が受託者を決定した後に、遠隔放射線医療支援の変更後の内容と期日とを示すデータを委嘱データ受信部１１３が受信した場合に、受託者として決定されている放射線治療専門医Ｄが、少なくとも、委嘱データ受信部１１３が受信したデータによって示される遠隔放射線医療支援の変更後の内容に対応し得る専門性と、そのデータによって示される遠隔放射線医療支援の変更後の期日に対応し得るスケジュールとを有している場合、受託者候補選択部１１４は、その放射線治療専門医Ｄを、遠隔放射線医療支援を受託し得る受託者の候補として改めて選択してもよい。
【０１１０】
また、受託者として決定されている放射線治療専門医Ｄのスケジュールに変更が生じた場合に、その放射線治療専門医Ｄの変更後のスケジュールが遠隔放射線医療支援の期日に対応し得る場合、受託者候補選択部１１４は、その放射線治療専門医Ｄを、遠隔放射線医療支援を受託し得る受託者の候補として改めて選択してもよい。
【０１１１】
一方、放射線治療専門医Ｄの変更後のスケジュールが遠隔放射線医療支援の期日に対応し得ない場合、受託者候補選択部１１４は、その放射線治療専門医Ｄ以外の別の放射線治療専門医Ｄを選択し直してもよい。
【０１１２】
以上、説明したように、医療支援管理システム１００は、放射線治療専門医Ｄ同士の遠隔放射線医療支援を管理するシステムである。そして、医療支援管理システム１００は、複数の各放射線治療専門医Ｄにそれぞれ利用される複数の端末Ｔに対して通信可能に設けられて、複数の放射線治療専門医Ｄによる遠隔放射線医療支援を管理する医療支援管理装置１１０を備える。そして、医療支援管理装置１１０は、放射線治療専門医Ｄのうち、他の放射線治療専門医Ｄへの遠隔放射線医療支援を委嘱する委嘱者の端末Ｔから、少なくとも、その遠隔放射線医療支援の内容と期日とを示すデータを受信する。そして、医療支援管理装置１１０は、委嘱者以外の他の放射線治療専門医Ｄのうち、少なくとも、受信したデータによって示される遠隔放射線医療支援の内容に対応し得る専門性と、そのデータによって示される遠隔放射線医療支援の期日に対応し得るスケジュールとを有する放射線治療専門医Ｄを、遠隔放射線医療支援を受託し得る受託者の候補として選択する。一方、医療支援管理装置１１０は、受託者の候補と成り得る放射線治療専門医Ｄが存在しない場合、所定の条件が整った後に、受託者と成り得る放射線治療専門医Ｄを選択し直す。そして、医療支援管理装置１１０は、選択した受託者の候補の端末Ｔへ、遠隔放射線医療支援を受託するか否かを問い合わせる旨のデータを送信する。そして、医療支援管理装置１１０は、データを送信した受託者の候補の端末Ｔから、遠隔放射線医療支援を受託するか否かの問い合わせに対する回答を示すデータを受信する。そして、医療支援管理装置１１０は、遠隔放射線医療支援を受託するとの回答を示すデータを受信した場合に、その回答を行った放射線治療専門医Ｄを、遠隔放射線医療支援を受託する受託者として決定する。そして、医療支援管理装置１１０は、受託者を決定した場合に、その旨を通知するデータを、少なくとも、委嘱者の端末Ｔへ送信する。
【０１１３】
このようにして、医療支援管理システム１００によっては、遠隔放射線医療支援を受託する側の放射線治療専門医Ｄに対して、負担を強いることなく、その放射線治療専門医Ｄが多忙なスケジュールの合間を縫って、十分に時間を確保し得る支援の依頼を斡旋することができる。また、医療支援管理システム１００によっては、遠隔放射線医療支援を委嘱する側の放射線治療専門医Ｄに対して、負担を強いることなく、遠隔放射線医療支援のための十分な時間を確保し得る放射線治療専門医Ｄを紹介することができる。
【０１１４】
また、上述したように、医療支援管理装置１１０は、委嘱者以外の他の放射線治療専門医Ｄのうち、委嘱者の端末Ｔから受信したデータによって示される遠隔放射線医療支援の期日までに、そのデータによって示される遠隔放射線医療支援の内容に対応し得る環境を確保し得るスケジュールを更に有する放射線治療専門医Ｄを、遠隔放射線医療支援を受託し得る受託者の候補として選択してもよい。
【０１１５】
このようにして、医療支援管理システム１００によっては、例えば、委嘱された遠隔放射線医療支援の内容が所定の環境下になければ行うことができない場合にも、その条件を満たす放射線治療専門医Ｄを紹介することができる。
【０１１６】
また、上述したように、医療支援管理装置１１０は、委嘱者以外の他の放射線治療専門医Ｄのうち、委嘱者の端末Ｔから受信したデータによって示される遠隔放射線医療支援の期日に、そのデータによって示される遠隔放射線医療支援の内容に対応し得る環境を確保し得るスケジュールを更に有する放射線治療専門医Ｄを、遠隔放射線医療支援を受託し得る受託者の候補として選択してもよい。
【０１１７】
このようにして、医療支援管理システム１００によっては、例えば、委嘱された遠隔放射線医療支援について、所定の環境下になければ回答をすることができない場合にも、その条件を満たす放射線治療専門医Ｄを紹介することができる。
【０１１８】
また、上述したように、医療支援管理装置１１０は、委嘱者の端末Ｔから、遠隔放射線医療支援を所望する指名の放射線治療専門医Ｄを更に示すデータを受信してもよい。その場合、医療支援管理装置１１０は、医療支援管理装置１１０は、委嘱者以外の他の放射線治療専門医Ｄのうち、委嘱者の端末Ｔから受信したデータによって示される指名の放射線治療専門医Ｄが、少なくとも、そのデータによって示される遠隔放射線医療支援の内容に対応し得る専門性と、そのデータによって示される遠隔放射線医療支援の期日に対応し得るスケジュールとを有している場合、その指名の放射線治療専門医Ｄを、遠隔放射線医療支援を受託し得る受託者の候補として優先的に選択してもよい。
【０１１９】
このようにして、医療支援管理システム１００によっては、例えば、委嘱者から指名された放射線治療専門医Ｄを優先的に紹介することができる。
【０１２０】
また、上述したように、医療支援管理装置１１０は、委嘱者以外の他の医療従事者のうち、委嘱者の端末Ｔから受信したデータによって示される指名の放射線治療専門医Ｄが、そのデータによって示される遠隔放射線医療支援の内容に対応し得る専門性と、そのデータによって示される遠隔放射線医療支援の期日に対応し得るスケジュールとの少なくとも一方を有していない場合、その指名の放射線治療専門医Ｄから推薦されている別の放射線治療専門医Ｄを優先的に選択し直してもよい。
【０１２１】
このようにして、医療支援管理システム１００によっては、例えば、委嘱者から指名された放射線治療専門医Ｄを受託者として選択することができなくても、その指名された放射線治療専門医Ｄから推薦されている別の放射線治療専門医Ｄを優先的に紹介することができる。
【０１２２】
また、上述したように、医療支援管理装置１１０は、受託者を決定する前に、遠隔放射線医療支援の変更後の内容と期日とを示すデータを受信した場合、受託者と成り得る別の放射線治療専門医Ｄを選択し直してもよい。一方、医療支援管理装置１１０は、受託者を決定した後に、遠隔放射線医療支援の変更後の内容と期日とを示すデータを受信した場合に、受託者として決定されている放射線治療専門医Ｄが、少なくとも、受信したデータによって示される遠隔放射線医療支援の変更後の内容に対応し得る専門性と、そのデータによって示される遠隔放射線医療支援の変更後の期日に対応し得るスケジュールとを有している場合、その放射線治療専門医Ｄを、遠隔放射線医療支援を受託し得る受託者の候補として改めて選択してもよい。
【０１２３】
このようにして、医療支援管理システム１００によっては、委嘱者から遠隔放射線医療支援に関する内容や期日が変更されたとしても、受託者が正式に決定されていなければ、受託者の候補を改めて選択することができ、受託者が正式に決定されていれば、その受託者が変更後の内容や期日に対応し得れば、その受託者を優先的に選択し直すことができる。
【０１２４】
また、上述したように、医療支援管理装置１１０は、受託者として決定されている放射線治療専門医Ｄのスケジュールに変更が生じた場合に、その放射線治療専門医Ｄの変更後のスケジュールが遠隔放射線医療支援の期日に対応し得る場合、その放射線治療専門医Ｄを、遠隔放射線医療支援を受託し得る受託者の候補として改めて選択してもよい。一方、医療支援管理装置１１０は、その放射線治療専門医Ｄの変更後のスケジュールが遠隔放射線医療支援の期日に対応し得ない場合には、その放射線治療専門医Ｄ以外の別の放射線治療専門医Ｄを選択し直してもよい。
【０１２５】
このようにして、医療支援管理システム１００によっては、受託者である放射線治療専門医Ｄのスケジュールに変更があったとしても、変更後のスケジュールにて遠隔放射線医療支援の期日に対応し得る場合には、改めて、その放射線治療専門医Ｄを、受託者の候補として改めて選択し、変更後のスケジュールにて遠隔放射線医療支援の期日に対応し得ない場合には、その放射線治療専門医Ｄ以外の別の放射線治療専門医Ｄを選択し直すことができる。
【０１２６】
図１１は、本実施形態に係る医療支援管理装置１１０を構成するコンピュータ８００のハードウェア構成の一例を示す。本実施形態に係るコンピュータ８００は、ホストコントローラ８０１により相互に接続されるＣＰＵ（Ｃｅｎｔｒａｌ  Ｐｒｏｃｅｓｓｉｎｇ  Ｕｎｉｔ）８０２、ＲＡＭ（Ｒａｎｄｏｍ  Ａｃｃｅｓｓ  Ｍｅｍｏｒｙ）８０３、グラフィックコントローラ８０４及びディスプレイ８０５を有するＣＰＵ周辺部と、入出力コントローラ８０６により相互に接続される通信インターフェース８０７、ハードディスクドライブ８０８及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する入出力部と、入出力コントローラ８０６に接続されるＲＯＭ（Ｒｅａｄ  Ｏｎｌｙ  Ｍｅｍｏｒｙ）８１０、フレキシブルディスクドライブ８１１及び入出力チップ８１２を有するレガシー入出力部とを備える。
【０１２７】
ホストコントローラ８０１は、ＲＡＭ８０３と、高い転送レートでＲＡＭ８０３をアクセスするＣＰＵ８０２及びグラフィックコントローラ８０４とを接続する。ＣＰＵ８０２は、ＲＯＭ８１０及びＲＡＭ８０３に格納されたプログラムに基づいて動作し、各部の制御を行う。グラフィックコントローラ８０４は、ＣＰＵ８０２等がＲＡＭ８０３内に設けたフレームバッファ上に生成する画像データを取得し、ディスプレイ８０５上に表示させる。これに代えて、グラフィックコントローラ８０４は、ＣＰＵ８０２等が生成する画像データを格納するフレームバッファを、内部に含んでもよい。
【０１２８】
入出力コントローラ８０６は、ホストコントローラ８０１と、比較的高速な入出力装置である通信インターフェース８０７、ハードディスクドライブ８０８及びＣＤ−ＲＯＭドライブ８０９を接続する。ハードディスクドライブ８０８は、コンピュータ８００内のＣＰＵ８０２が使用するプログラム及びデータを格納する。ＣＤ−ＲＯＭドライブ８０９は、ＣＤ−ＲＯＭ８９２からプログラム又はデータを読み取り、ＲＡＭ８０３を介してハードディスクドライブ８０８に提供する。
【０１２９】
また、入出力コントローラ８０６には、ＲＯＭ８１０と、フレキシブルディスクドライブ８１１及び入出力チップ８１２の比較的低速な入出力装置とが接続される。ＲＯＭ８１０は、コンピュータ８００が起動時に実行するブートプログラム、及び／又はコンピュータ８００のハードウェアに依存するプログラム等を格納する。フレキシブルディスクドライブ８１１は、フレキシブルディスク８９３からプログラム又はデータを読み取り、ＲＡＭ８０３を介してハードディスクドライブ８０８に提供する。入出力チップ８１２は、フレキシブルディスクドライブ８１１を入出力コントローラ８０６へと接続すると共に、例えばパラレルポート、シリアルポート、キーボードポート、マウスポート等を介して各種の入出力装置を入出力コントローラ８０６へと接続する。
【０１３０】
ＲＡＭ８０３を介してハードディスクドライブ８０８に提供されるプログラムは、フレキシブルディスク８９３、ＣＤ−ＲＯＭ８９２又はＩＣ（Ｉｎｔｅｇｒａｔｅｄ  Ｃｉｒｃｕｉｔ）カード等の記録媒体に格納されて利用者によって提供される。プログラムは、記録媒体から読み出され、ＲＡＭ８０３を介してコンピュータ８００内のハードディスクドライブ８０８にインストールされ、ＣＰＵ８０２において実行される。
【０１３１】
コンピュータ８００にインストールされ、コンピュータ８００を医療支援管理装置１１０として機能させるプログラムは、コンピュータ８００を、ステップＳ３０１において、放射線治療専門医Ｄのうち、他の医療従事者への遠隔放射線医療支援を委嘱する委嘱者の端末Ｔから、少なくとも、その遠隔放射線医療支援の内容と期日とを示すデータを受信する委嘱データ受信部１１３と、委嘱者以外の他の放射線治療専門医Ｄのうち、少なくとも、委嘱データ受信部１１３が受信したデータによって示される遠隔放射線医療支援の内容に対応し得る専門性と、そのデータによって示される遠隔放射線医療支援の期日に対応し得るスケジュールとを有する放射線治療専門医Ｄを、ステップＳ３０３において、遠隔放射線医療支援を受託し得る受託者の候補として選択し、受託者の候補と成り得る放射線治療専門医Ｄが存在しない場合、ステップＳ３０６において、所定の条件が整った後に、受託者と成り得る放射線治療専門医Ｄを選択し直す受託者候補選択部１１４と、受託者候補選択部１１４が選択した受託者の候補の端末Ｔへ、ステップＳ３０５において、遠隔放射線医療支援を受託するか否かを問い合わせる旨のデータを送信する問合データ送信部１１５と、問合データ送信部１１５がデータを送信した受託者の候補の端末Ｔから、ステップＳ４０１において、遠隔放射線医療支援を受託するか否かの問い合わせに対する回答を示すデータを受信する回答データ受信部１１６と、遠隔放射線医療支援を受託するとの回答を示すデータを回答データ受信部１１６が受信した場合に、ステップＳ４０３において、その回答を行った放射線治療専門医Ｄを、遠隔放射線医療支援を受託する受託者として決定する受託者決定部１１７と、受託者決定部１１７が受託者を決定した場合に、ステップＳ４０４において、その旨を通知するデータを、少なくとも、委嘱者の端末Ｔへ送信する通知データ送信部１１８として機能させる。
【０１３２】
更に、当該プログラムは、コンピュータ８００を、委嘱者以外の他の放射線治療専門医Ｄのうち、委嘱データ受信部１１３が受信したデータによって示される遠隔放射線医療支援の期日までに、そのデータによって示される遠隔放射線医療支援の内容に対応し得る環境を確保し得るスケジュールを更に有する放射線治療専門医Ｄを、ステップＳ３０３において、遠隔放射線医療支援を受託し得る受託者の候補として選択する受託者候補選択部１１４として機能させてもよい。
【０１３３】
更に、当該プログラムは、コンピュータ８００を、委嘱者以外の他の放射線治療専門医Ｄのうち、委嘱データ受信部１１３が受信したデータによって示される遠隔放射線医療支援の期日に、そのデータによって示される遠隔放射線医療支援の内容に対応し得る環境を確保し得るスケジュールを更に有する放射線治療専門医Ｄを、ステップＳ３０３において、遠隔放射線医療支援を受託し得る受託者の候補として選択する受託者候補選択部１１４として機能させてもよい。
【０１３４】
更に、当該プログラムは、コンピュータ８００を、ステップＳ３０１において、委嘱者の端末Ｔから、遠隔放射線医療支援を所望する指名の放射線治療専門医Ｄを更に示すデータを受信する委嘱データ受信部１１３と、委嘱者以外の他の放射線治療専門医Ｄのうち、委嘱データ受信部１１３が受信したデータによって示される指名の放射線治療専門医Ｄが、少なくとも、そのデータによって示される遠隔放射線医療支援の内容に対応し得る専門性と、そのデータによって示される遠隔放射線医療支援の期日に対応し得るスケジュールとを有している場合、ステップＳ３０３において、その指名の放射線治療専門医Ｄを、遠隔放射線医療支援を受託し得る受託者の候補として優先的に選択する受託者候補選択部１１４として機能させてもよい。
【０１３５】
更に、当該プログラムは、コンピュータ８００を、委嘱者以外の他の放射線治療専門医Ｄのうち、委嘱データ受信部１１３が受信したデータによって示される指名の放射線治療専門医Ｄが、そのデータによって示される遠隔放射線医療支援の内容に対応し得る専門性と、そのデータによって示される遠隔放射線医療支援の期日に対応し得るスケジュールとの少なくとも一方を有していない場合、ステップＳ３０３において、その指名の放射線治療専門医Ｄから推薦されている別の放射線治療専門医Ｄを優先的に選択し直す受託者候補選択部１１４として機能させてもよい。
【０１３６】
更に、当該プログラムは、コンピュータ８００を、受託者決定部１１７が受託者を決定する前に、遠隔放射線医療支援の変更後の内容と期日とを示すデータを委嘱データ受信部１１３が受信した場合、受託者と成り得る別の放射線治療専門医Ｄを選択し直し、受託者決定部１１７が受託者を決定した後に、遠隔放射線医療支援の変更後の内容と期日とを示すデータを委嘱データ受信部１１３が受信した場合に、受託者として決定されている放射線治療専門医Ｄが、少なくとも、委嘱データ受信部１１３が受信したデータによって示される遠隔放射線医療支援の変更後の内容に対応し得る専門性と、そのデータによって示される遠隔放射線医療支援の変更後の期日に対応し得るスケジュールとを有している場合、その放射線治療専門医Ｄを、遠隔放射線医療支援を受託し得る受託者の候補として改めて選択する受託者候補選択部１１４として機能させてもよい。
【０１３７】
更に、当該プログラムは、コンピュータ８００を、受託者として決定されている放射線治療専門医Ｄのスケジュールに変更が生じた場合に、その放射線治療専門医Ｄの変更後のスケジュールが遠隔放射線医療支援の期日に対応し得る場合、その放射線治療専門医Ｄを、遠隔放射線医療支援を受託し得る受託者の候補として改めて選択し、その放射線治療専門医Ｄの変更後のスケジュールが遠隔放射線医療支援の期日に対応し得ない場合には、その放射線治療専門医Ｄ以外の別の放射線治療専門医Ｄを選択し直す受託者候補選択部１１４として機能させてもよい。
【０１３８】
これらのプログラムに記述された情報処理は、コンピュータ８００に読み込まれることにより、ソフトウェアと上述した各種のハードウェア資源とが協働した具体的手段である医療従事者データ受信部１１１、スケジュールデータ受信部１１２、委嘱データ受信部１１３、受託者候補選択部１１４、問合データ送信部１１５、回答データ受信部１１６、受託者決定部１１７、通知データ送信部１１８、医療従事者情報格納部１１９、スケジュール情報格納部１２０、委嘱情報格納部１２１及び受託情報格納部１２２として機能する。そして、これらの具体的手段によって、本実施形態におけるコンピュータ８００の使用目的に応じた情報の演算又は加工を実現することにより、使用目的に応じた特有の医療支援管理装置１１０が構築される。
【０１３９】
一例として、コンピュータ８００と外部の装置等との間で通信を行う場合には、ＣＰＵ８０２は、ＲＡＭ８０３上にロードされた通信プログラムを実行し、通信プログラムに記述された処理内容に基づいて、通信インターフェース８０７に対して通信処理を指示する。通信インターフェース８０７は、ＣＰＵ８０２の制御を受けて、ＲＡＭ８０３、ハードディスクドライブ８０８、フレキシブルディスク８９３又はＣＤ−ＲＯＭ８９２等の記憶装置上に設けた送信バッファ領域等に記憶された送信データを読み出してネットワークへと送信し、もしくは、ネットワークから受信した受信データを記憶装置上に設けた受信バッファ領域等へと書き込む。このように、通信インターフェース８０７は、ダイレクトメモリアクセス方式により記憶装置との間で送受信データを転送してもよく、これに代えて、ＣＰＵ８０２が転送元の記憶装置又は通信インターフェース８０７からデータを読み出し、転送先の通信インターフェース８０７又は記憶装置へとデータを書き込むことにより送受信データを転送してもよい。
【０１４０】
また、ＣＰＵ８０２は、ハードディスクドライブ８０８、ＣＤ−ＲＯＭ８９２、フレキシブルディスク８９３等の外部記憶装置に格納されたファイル又はデータベース等の中から、全部又は必要な部分をダイレクトメモリアクセス転送等によりＲＡＭ８０３へと読み込ませ、ＲＡＭ８０３上のデータに対して各種の処理を行う。そして、ＣＰＵ８０２は、処理を終えたデータを、ダイレクトメモリアクセス転送等により外部記憶装置へと書き戻す。
【０１４１】
このような処理において、ＲＡＭ８０３は、外部記憶装置の内容を一時的に保持するものとみなせるから、本実施形態においてはＲＡＭ８０３及び外部記憶装置等をメモリ、記憶部又は記憶装置等と総称する。本実施形態における各種のプログラム、データ、テーブル、データベース等の各種の情報は、このような記憶装置上に格納されて、情報処理の対象となる。なお、ＣＰＵ８０２は、ＲＡＭ８０３の一部をキャッシュメモリに保持し、キャッシュメモリ上で読み書きを行うこともできる。このような形態においても、キャッシュメモリはＲＡＭ８０３の機能の一部を担うから、本実施形態においては、区別して示す場合を除き、キャッシュメモリもＲＡＭ８０３、メモリ及び／又は記憶装置に含まれるものとする。
【０１４２】
また、ＣＰＵ８０２は、ＲＡＭ８０３から読み出したデータに対して、プログラムの命令列により指定された、本実施形態中に記載した各種の演算、情報の加工、条件判断、情報の検索、置換等を含む各種の処理を行い、ＲＡＭ８０３へと書き戻す。例えば、ＣＰＵ８０２は、条件判断を行う場合においては、本実施形態において示した各種の変数が、他の変数又は定数と比較して、大きい、小さい、以上、以下又は等しい等の条件を満たすかどうかを判断し、条件が成立した場合、又は不成立であった場合に、異なる命令列へと分岐し、又はサブルーチンを呼び出す。
【０１４３】
また、ＣＰＵ８０２は、記憶装置内のファイル又はデータベース等に格納された情報を検索することができる。例えば、第１属性の属性値に対し第２属性の属性値がそれぞれ対応付けられた複数のエントリが記憶装置に格納されている場合において、ＣＰＵ８０２は、記憶装置に格納されている複数のエントリの中から第１属性の属性値が指定された条件と一致するエントリを検索し、そのエントリに格納されている第２属性の属性値を読み出すことにより、所定の条件を満たす第１属性に対応付けられた第２属性の属性値を得ることができる。
【０１４４】
以上に示したプログラム又はモジュールは、外部の記憶媒体に格納されてもよい。記憶媒体としては、フレキシブルディスク８９３、ＣＤ−ＲＯＭ８９２の他に、ＤＶＤ（Ｄｉｇｉｔａｌ  Ｖｅｒｓａｔｉｌｅ  Ｄｉｓｋ）又はＣＤ（Ｃｏｍｐａｃｔ  Ｄｉｓｋ）等の光学記録媒体、ＭＯ（Ｍａｇｎｅｔｏ−Ｏｐｔｉｃａｌ  ｄｉｓｋ）等の光磁気記録媒体、テープ媒体、ＩＣカード等の半導体メモリ等を用いることができる。また、専用通信ネットワーク又はインターネットに接続されたサーバシステムに設けたハードディスク又はＲＡＭ等の記憶媒体を記録媒体として使用して、ネットワークを介してプログラムをコンピュータ８００に提供してもよい。
【０１４５】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【０１４６】
例えば、端末Ｔは、医療秘書等の放射線治療専門医Ｄの代理人が利用してもよい。
【０１４７】
また、例えば、医療支援管理装置１１０は、受託者の候補として、委嘱者から指定された言語にてコミュニケーションをとることができる放射線治療専門医Ｄを選択するようにしてもよい。
【０１４８】
また、例えば、医療支援管理装置１１０は、放射線治療専門医Ｄに対して、その放射線治療専門医Ｄが希望する言語にて生成された電子メールを送信するようにしてもよい。
【０１４９】
また、例えば、医療支援管理装置１１０は、委嘱者から受託者へ送信すべき医療情報の送付期限を過ぎても、その医療情報が送信されていない場合、医療情報を送信するよう催促する旨の電子メールを、委嘱者へ送信するようにしてもよい。
【０１５０】
また、例えば、医療支援管理装置１１０は、委嘱者から受託者へ送信すべき医療情報の送付期限を過ぎても、その医療情報が送信されていない場合に、その時点において、受託者として決定されている放射線治療専門医Ｄのスケジュールの合間を縫って、遠隔放射線医療支援のための十分な時間を確保し得ない場合、別の放射線治療専門医Ｄを、委嘱者の候補として選択し直してもよい。
【０１５１】
また、例えば、医療支援管理装置１１０は、遠隔放射線医療支援について実態的なやりとりが成された後に、その遠隔放射線医療支援の受託者に対する評価を委嘱者から受け付けて、その遠隔放射線医療支援の内容と共に、受託者であった放射線治療専門医Ｄに対する評価履歴として公開するようにしてもよい。
【０１５２】
特許請求の範囲、明細書及び図面中において示したシステム、方法、装置、プログラム及び記録媒体における動作、手順、ステップ及び段階等の各処理の実行順序は、特段「より前に」、「先立って」等と明示しておらず、また、前の処理の出力を後の処理で用いるのでない限り、任意の順序で実現し得ることに留意すべきである。特許請求の範囲、明細書及び図面中の動作フローに関して、便宜上「まず、」、「次に、」等を用いて説明したとしても、この順で実施することが必須であることを意味するものではない。
【符号の説明】
【０１５３】
１００  医療支援管理システム
１１０  医療支援管理装置
１１１  医療従事者データ受信部
１１２  スケジュールデータ受信部
１１３  委嘱データ受信部
１１４  受託者候補選択部
１１５  問合データ送信部
１１６  回答データ受信部
１１７  受託者決定部
１１８  通知データ送信部
１１９  医療従事者情報格納部
１２０  スケジュール情報格納部
１２１  委嘱情報格納部
１２２  受託情報格納部
８００  コンピュータ
８０１  ホストコントローラ
８０２  ＣＰＵ
８０３  ＲＡＭ
８０４  グラフィックコントローラ
８０５  ディスプレイ
８０６  入出力コントローラ
８０７  通信インターフェース
８０８  ハードディスクドライブ
８０９  ＣＤ−ＲＯＭドライブ
８１０  ＲＯＭ
８１１  フレキシブルディスクドライブ
８１２  入出力チップ
８９２  ＣＤ−ＲＯＭ
８９３  フレキシブルディスク
Ｃ  診療所
Ｄ  放射線治療専門医
Ｈ  病院
Ｎ  通信回線
Ｔ  端末
【図１】
0005909214.tif 000002
【図２】
0005909214.tif 000003
【図３】
0005909214.tif 000004
【図４】
0005909214.tif 000005
【図５】
0005909214.tif 000006
【図６】
0005909214.tif 000007
【図７】
0005909214.tif 000008
【図８】
0005909214.tif 000009
【図９】
0005909214.tif 000010
【図１０】
0005909214.tif 000011
【図１１】
0005909214.tif 000012